(57)【要約】【課題】携帯電話機などの携帯情報端末において、本来の目的で使用しないときに携帯用のミラーとして有効に利用できるようにし、利便性を向上させる。【解決手段】折畳み式の携帯電話機の本体１の表示部２に、平板状の素材に反射材を積層してなる透光性のミラー機能を有した所望形状の薄厚のミラーフィルム３を一体的に組み込む。そして、複数の設定ボタンの中の一つのボタン４によりミラーフィルム３の機能、すなわち表示部２をミラー（鏡）として使用するのか、あるいは携帯電話の表示用として使用するのかを切換える。【選択図】      図１
2004241794.tif 000002
【特許請求の範囲】
【請求項１】
平板状の素材に反射材を積層してなる透光性のミラー機能を有した所望形状の薄厚のミラーフィルムを本体に取付けたことを特徴とする携帯情報端末。
【請求項２】
表示部の背面側にＬＥＤ光源を用いたバックライトを備え、ミラーフィルムは素材にアルミニウムをコーティングした反射材の層を有し、エポキシ系の接着剤で本体に取付けたことを特徴とする請求項１に記載の携帯情報端末。
【請求項３】
ミラーフィルムはフレネルレンズを積層していることを特徴とする請求項１または２に記載の携帯情報端末。
【請求項４】
ミラーフィルムは表示部に一体的に組み込んだことを特徴とする請求項１ないし３何れかに記載の携帯情報端末。
【請求項５】
本体は携帯電話機の本体であることを特徴とする請求項１ないし４何れかに記載の携帯情報端末。
【発明の詳細な説明】
【０００１】
【発明の属する技術分野】
本発明は、携帯電話機等の携帯情報端末、特に携帯ミラーとしても使用可能な利便性のある携帯情報端末に関するものである。
【０００２】
【従来の技術】
近年、携帯式の情報端末、特に携帯電話機の普及が急速に広まり、あらゆる階層の人が日常的に携帯電話を使用するようになってきている。すなわち、大勢の人が常に携帯電話機を持ち歩く状況にあるが、このような状況の中で、携帯電話機の機能は電話機能や情報通信機能などに限られており、これらの機能を使わないときは携帯電話機は何の役にも立たない。
【０００３】
【発明が解決しようとする課題】
上記のように、携帯情報端末は常に身近に所持しているが、使わないときは単なる持ち物となってしまい、他の利用目的に供することができない。
【０００４】
本発明は、上記のような問題点に鑑みてなされたもので、本来の目的で使用しないときに携帯用のミラーとして有効に利用することができ、利便性の向上した携帯情報端末を提供することを目的としている。
【０００５】
【課題を解決するための手段】
本発明に係る携帯情報端末は、平板状の素材に反射材を積層してなる透光性のミラー機能を有した所望形状の薄厚のミラーフィルムを本体に取付けたものである。
【０００６】
また、上記表示部の背面側にＬＥＤ光源を用いたバックライトを備え、ミラーフィルムは素材にアルミニウムをコーティングした反射材の層を有し、エポキシ系の接着剤で本体に取付けたものである。
【０００７】
また、上記ミラーフィルムはフレネルレンズを積層するようにし、更に、表示部に一体的に組み込むようにしたものである。
【０００８】
また、本発明に係る携帯情報端末は、携帯電話機に適用したものである。
【０００９】
【発明の実施の形態】
以下、本発明の実施例を図面について説明する。なお、実施例では、携帯電話機（ＰＨＳを含む）に適用した場合について説明する。
【００１０】
図１は本発明の実施例の構成を示す斜視図である。同図において、１は折畳み式の携帯電話機の本体、２はその表示部で、ここに平板状の素材に反射材を積層してなる透光性のミラー機能を有した所望形状の薄厚のミラーフィルム３が一体的に組み込まれて取付けられている。４は複数の設定ボタンの中の一つのボタンで、このボタン４によりミラーフィルム３の機能、すなわち表示部２をミラー（鏡）として使用するのか、あるいは携帯電話の表示用として使用するのかを切換えられるようになっている。
【００１１】
図２の（ａ）は上記ミラーフィルム３の構成を示す断面図である。このミラーフィルム３は、平板状の素材３１と、その上の反射材３２の層と、接着剤３３とからなり、フレネルレンズ３４を必要に応じて取付ける（接着する）ことができる。
【００１２】
上記表示部２の背面側にはＬＥＤ光源を用いたバックライトを備え、ミラーフィルム３は素材３１にアルミニウムをコーティングした反射材３２の層を有し、エポキシ系の接着剤３３で本体１に取付けるようになっている。
【００１３】
ここで、上記の素材３１はポリカーボネイトやアートンフィルム、あるいはその他のものを使用でき、１００〜１２５μ程度まで薄型化が可能である。そして、この素材３１にアルミニウム（Ａｌ）やクロム（Ｃｒ）をスパッタ法等によりコーティングして反射材３２の層を形成している。この反射材３２はハーフミラーを構成するもので、アルミニウムを３５０〜４００オングストローム蒸着した場合は透過率が略３０％で反射率が略４０％のものが得られ、クロムを３００オングストローム蒸着した場合は透過率が略３０％で反射率が略３０％のものが得られる。
【００１４】
なお、クロムを用いた場合には公害等の問題で回収が難しく、またアルミニウムの場合と比べて反射率が低い。したがって、反射材３２にはアルミニウムを用いている。
【００１５】
接着剤３３はエポキシ系やアクリル系のものを使用でき、厚さは３〜１０μ、場合によっては１μまで可能であり、熱圧着の場合は更に薄く（０μ）することができる。但し、熱圧着の場合はガラス基板への取付けは不可である。フレネルレンズ３４は５００〜８００μの厚さになるが、倍率を抑えてそれ以下の厚さ、例えば１００μまで薄型化が可能である。このフレネルレンズ３４は、エポキシ系の材料で形成することができる。
【００１６】
また、図示していないが、表示部２のバックライトの光源にはチッ化ガリウムからなる白色のＬＥＤを用いている。ここでは、表示内容によってＬＥＤの個数を決めるが、通常、表示の均一性を求める場合は、４個のＬＥＤを並列に接続し、ＬＥＤ１個当たり光度２５０ｍｃｄ（ミリカンデラ）〜６００ｍｃｄを得ている。駆動電圧は並列駆動で３．５Ｖ、駆動電流は１０ｍＡ〜１５ｍＡである。なお、チッ化ガリウムは蓄電容量に合わせて増減すれば良い。
【００１７】
なお、光源のチッ化ガリウムは上記のように白色光のものを用いているが、青色光、緑色光、あるいは赤色光のものを単独で用いることもできる。
【００１８】
例えば、太陽光の下での使用の際に充分な透過光が得られず、表示部２の表示が見えにくいような場合は、太陽光（自然光）と異なる赤色や青色、あるいは緑色のチッ化ガリウムを用いることにより、表示部２の表示を見易くすることができる。
【００１９】
あるいはまた、ミラーフィルム３を誘電体膜として形成するようにしても良い。この場合、図２の（ｂ）に示すように、素材３１としてガラスやＰＥＴフィルムを使用し、この基板上に金属酸化膜であるＴｉＯ２とＳｉＯ２を交互にコーティングして４層程度に積層することが望ましく、１層当たり５００Å（オングストローム）で２０００Å程度の膜厚に形成することができる。このとき、約５０％の透過率（反射率）を得ることができる。
【００２０】
上記のように構成されたミラーフィルム３は、本実施例のように携帯電話機の表示部２の内側にエポキシ系の透明糊で接着して一体的に組み込こむことができる。そして、例えばボタン４の操作で携帯電話を利用しないときはバックライトを消灯することで、図３に示すように表示部２がミラー状態となり、鏡として使用することができる。このとき、ミラーフィルム３にはフレネルレンズ３４が取付けられているので、自分の顔などをアップして映し出すことができ、化粧などには便利なものとなる。また、携帯電話の利用時には上述のバックライトが点灯し、表示部２は通常の携帯電話用の表示状態となる。
【００２１】
ここで、上記のミラーフィルム３は薄型で軽量であり、これを本体１に取付けても携帯電話機として違和感はない。また、ミラーフィルム３の形状は任意に作製することができ、所望の形状のミラーフィルム３を図４の（ａ）、（ｂ）に示すように、電池パックの裏など本体１の好きな場所に取付けて使用することもできる。
【００２２】
図５は上記ミラーフィルム３の他の構成を示す断面図である。同図の（ａ）に示すタイプのものは、ハードコート膜（約１μｍ）３０１、ＰＭＭＡフィルム（約１２５μｍ）３０２、ハードコート膜（約１μｍ）３０３、ＴｉＯ２（０．０６μｍ）もしくはＺｒＯ２（０．０７μｍ）からなる反射層３０４、シリコン系あるいはウレタン系の接着層（約１０μｍ）３０５、保護フィルム３０６を順次積層したものである。
【００２３】
また、図５の（ｂ）に示すタイプのものは、ハードコート膜（約１μｍ）３０１、ＰＭＭＡフィルム（約１２５μｍ）３０２、ハードコート膜（約１μｍ）３０３、ＴｉＯ２（０．０６μｍ）もしくはＺｒＯ２（０．０７μｍ）からなる反射層３０４、接着層３０７、ＰＥＴフィルム３０８、シリコン系あるいはウレタン系の接着層（約１０μｍ）３０５、保護フィルム３０６を順次積層したものである。
【００２４】
上記ＰＭＭＡフィルム３０２はＰＥＴフィルムでも良く、双方共７０〜８０％の透過率を得ることができる。また、全体の厚みの合計として、１５０〜１７０μｍに形成することができ、取り扱いは容易なものとなる。
【００２５】
また、上記構成のミラーフィルム３は、図６の（ａ）に示すように携帯電話機の本体１の表示部２に簡単に取り付けることができる。表示部２がガラス基板３０９の場合は、同図の（ｂ）のようにその下側に貼り付けることができ、低コスト化が可能である。
【００２６】
このように、本実施例では、ミラーフィルム３の光の透過と反射を切換えることで、携帯電話の本来の目的で使用しないときに携帯用のミラーとして有効に利用でき、利便性が向上したものとなる。携帯電話機は常に持ち歩く状態にあり、特に女性にとっては手鏡を別に所持する必要がなく、また鏡を使用していることを周囲の人に知られることがないので、便利なものとなる。
【００２７】
なお、実施例では携帯電話機に適用した場合について説明したが、本発明は他の携帯情報端末に広く適用することができる。
【００２８】
【発明の効果】
以上説明したように、本発明によれば、本来の目的で使用しないときに携帯用のミラーとして有効に利用することができ、利便性が向上するという効果がある。
【図面の簡単な説明】
【図１】本発明の実施例の構成を示す斜視図
【図２】実施例のミラーフィルムの構成を示す断面図
【図３】実施例の使用状況を示す説明図
【図４】実施例の使用形態を示す説明図
【図５】ミラーフィルムの他の構成を示す断面図
【図６】図５のミラーフィルムの使用形態を示す説明図
【符号の説明】
１  本体
２  表示部
３  ミラーフィルム
４  ボタン
３１  素材
３２  反射材
３３  接着剤
３４  フレネルレンズ
３０１  ハードコート膜
３０２  ＰＭＭＡフィルム
３０３  ハードコート膜
３０４  反射層
３０５  接着層
３０６  保護フィルム
３０７  接着層
３０８  ＰＥＴフィルム
３０９  ガラス基板
【図１】
2004241794.tif 000003
【図２】
2004241794.tif 000004
【図３】
2004241794.tif 000005
【図４】
2004241794.tif 000006
【図５】
2004241794.tif 000007
【図６】
2004241794.tif 000008